(57)【要約】      （修正有）【課題】コンパクトにして太陽エネルギーを効率よく受承する充電器を提供する。【解決手段】蓋体１及びベース体本体２の内表面にそれぞれ太陽エネルギーウェハー変換用シリコンチップパネル３を設けるとともに、ベース体本体２内に貯エネルギー貯蔵用電池を設け、太陽エネルギーウェハー変換用シリコンチップパネル３を貯エネルギー貯蔵用電池に接続させる。【選択図】図１
0003112906.tif 000002
【実用新案登録請求の範囲】
【請求項１】
多機能太陽エネルギー携帯型充電器であって、折畳式でに連結するされる蓋体（１）及びベース体本体（２）を含み、前記蓋体（１）及びベース体本体（２）の内表面にそれぞれ太陽エネルギーウェハー変換用シリコンチップパネル（３）を設けるとともに、前記ベース体本体（２）内に貯エネルギー貯蔵用電池（１４）を設け、前記太陽エネルギーウェハー変換用シリコンチップパネル（３）を前記貯エネルギー貯蔵用電池（１４）に接続させてなることを特徴とする多機能太陽エネルギー携帯型充電器。
【請求項２】
前記蓋体（１）とベース体本体（２）のヒンジの一端部に照明灯（４）を設けるとともに、前記ベース体本体（２）の一端部に前記照明灯（４）に接続するスイッチ（５）を設けてなる請求項１に記載の多機能太陽エネルギー携帯型充電器。
【請求項３】
前記ベース体本体（２）の一端部に交流電源充電用差込口（６）及び小型電器電気機器電源用差込口（７）を設け、またスイッチインジケーターランプ（８）及び充電状態インジケーターランプ（９）と（１０）を設けてなる請求項１に記載の多機能太陽エネルギー携帯型充電器。
【請求項４】
前記ベース体本体（２）の背面に、交差差込式の引っ掛けフック（１１）を設けてなる請求項１に記載の多機能太陽エネルギー携帯型充電器。
【請求項５】
前記充電器が、蓋体（１）、ベース体本体（２）、ヒンジ（１２）、
太陽エネルギーウェハー変換用シリコンチップパネル（３）、内装の貯内蔵されたエネルギー貯蔵用電池（１４）によって、及び交流電源充電用コンセント（１６）によって接続しされ、交流電源充電用コンセント（１６）がベース体本体（２）の前面又は側面に設置可能であることを特徴とする請求項１に記載の多機能太陽エネルギー携帯型充電器。
【請求項６】
貯エネルギー貯蔵用電池内にで太陽エネルギーを化学エネルギーに変換し、電流電気を昇圧させし、水が低所へ流れる原理に基づき他の電池又は携帯電話機等の小型電気機器へ電気を移すことができることを特徴とする請求項１に記載の多機能太陽エネルギー携帯型充電器。
【請求項７】
貯エネルギー貯蔵用電池内にで太陽エネルギーを化学エネルギーに変換し、その交流の電気のＡＣ電流の供給もまた共通回路上に設けていることを特徴とする請求項１に記載の多機能太陽エネルギー携帯型充電器。
【考案の詳細な説明】
【技術分野】
【０００１】
本考案は、複数の機能を有する太陽エネルギー携帯型充電器に関し、具体的には、充電、電源、照明等の機能を一体に揃う備えるとともに、低電圧と高電圧、及び化学エネルギーと電気エネルギーの相互変換を効率よく図れる太陽エネルギー携帯型充電器に関する。充電器のバッテリーにエネルギーが満ちた場合、電気エネルギーを充電器から携帯電話機又はその電池へ移すことができる。またその他の小型電器電気機器、例えばデジタルカメラ、携帯型コンピューター、携帯型ＣＤプレーヤー等に適用することができるとともに、交流電気電源に接続し供給することができる。
【背景技術】
【０００２】
科学技術の発展及び人々の物質・文化生活レベルの絶え間ない向上に伴って、様々な携帯電話、デジタルカメラ、携帯型コンピューター等のハイテク製品はが普及している。それらに組み合わせて使用する充電器は、充電時に交流電気電源に接続することのみに限られているため、使用者は電気エネルギーを使用するのに不便な場所に身をおいたおく場合、又は電圧の異なる地区にいる場合、例えば、旅行、地質科学調査、山登り考察等の場合に、携帯電話機、デジタル画像・音声電器電気機器、携帯型コンピューター等のハイテク製品は、電源が消耗し尽くし、又は不足になった場合には、有効に使えなくなる。それに、従来の充電器は独立の電源として使うことができないため、常用の小型電器電気機器（携帯型ゲーム機、デジタルカメラ、ＣＤプレーヤー、ウォークマン型オーディオプレーヤー、録音再現機言語復読機、及びＰＤＡ等）を室外で使用する場合、別に電源、例えば乾電池を配備準備する必要があるのであり、乾電池の使用によっては、環境の汚染をもたらすだけでなく、資源の無駄浪費をももたらす。従って、科学技術の進歩及び製品の絶え間ない更新に伴って、従来の充電器はますます当今の市場のニーズに適さなく適応し得なくなってきた。従来の太陽エネルギー充電器の考案は、化学エネルギーから電気エネルギーへの変換、及び高電圧から低電圧への変換ができないのに対して、本考案は、充電器の機能を有する以外に、独立して電源及び照明懐中電灯として使用することができる。また、室外において、太陽エネルギーによってエネルギーを蓄えて、充電池内で再び昇圧させ、水が低所へ流れる原理に基づき電池を他のものへ移すこともできる。
【考案の開示】
【考案が解決しようとする課題】
【０００３】
本考案は、従来技術の欠点を克服し、太陽エネルギーによる充電の機能を有するとともにことは勿論、独立して電源として使用でき、バッテリーの気化率が低く、使用寿命が長く、且つ性能が良くて信頼でき、照明の機能を更に有し、使用上はの便利性でを備え、省エネルギー及び環境保護の趨勢に符合する多機能太陽エネルギー携帯型充電器を提供することを目的とする。
【課題を解決するための手段】
【０００４】
本考案は、多機能太陽エネルギー携帯型充電器であって、独自の折畳式でに連結するされる蓋体及びベース体本体を含み、蓋体及びベース体本体内の表面にそれぞれ太陽エネルギーウェハー変換用シリコンチップを設けるとともに、前記ベース体本体のケース内に貯エネルギー貯蔵用電池を設け、太陽エネルギーウェハー変換用シリコンチップがと貯エネルギー貯蔵用電池にとが接続してされている。
本考案の多機能太陽エネルギー携帯型充電器において、前記蓋体とベース体本体の折りたたみヒンジ連結装置の一端部に照明灯を設けるとともに、前記ベース体本体に前記照明灯に接続するスイッチを設けていることを特徴とする。
本考案の多機能太陽エネルギー携帯型充電器において、前記ベース体本体の一端部に携帯
電話充電用差込口及び小型電器電気機器電源用差込口を設け、またスイッチインジケーターランプ及び充電状態インジケーターランプを設けていることを特徴とする。
本考案の多機能太陽エネルギー携帯型充電器において、前記ベース体本体の他端部に交流電源充電差込口を設けていることを特徴とする。
本考案の多機能太陽エネルギー携帯型充電器において、前記ベース体本体の背面に、使用者が充電器をリュックサック又は服衣服に引っ掛けて使用するのに便利な交差差込式の引っ掛けフックを設けていることを特徴とする。
【考案の効果】
【０００５】
本考案の多機能太陽エネルギー携帯型充電器は、以下の利点を有する、即ち、太陽エネルギーを利用することは、便利で実用的であり、室外においても郊外においても、日当たりの良い場所であれば、随時に充電して、太陽エネルギーから化学エネルギーへ変換し、且つ低電圧を高電圧に変換することができ、電電力量が十分である場合、同時に携帯電話機又は携帯型コンピューター等に充電することもでき、しかも小型電器電気機器をそれに連続接続して使用し、化学エネルギーから電気エネルギーへ変換することができ、また、高電圧を低電圧に変換して、別の電器電気機器に再度移すことができる。日中に充電しておけば、夜に照明灯として利用することもできる。本考案は構成が斬新で、信頼性が高く、適用範囲が広く、省エネルギーである。
【考案を実施するための最良の形態】
【０００６】
以下、添付図面に基づいて本考案の多機能太陽エネルギー携帯型充電器について更に詳しく説明する。
（第一の実施形態）
図１〜図５に示す多機能太陽エネルギー携帯型充電器においては、折畳式で連結する蓋体１及びベース体本体２を含み、蓋体１及びベース体本体２の内表面にそれぞれ太陽エネルギーウェハー変換用シリコンチップパネル３を設け、ベース体本体２内に貯エネルギー貯蔵用電池１４を設け、太陽エネルギーウェハー変換用シリコンチップパネル３が貯エネルギー貯蔵用電池１４に接続してされている。太陽エネルギーウェハー変換用シリコンチップパネル３にて日光を受光し、光エネルギーを電気エネルギーに変換して、貯エネルギー貯蔵用電池１４へ充電して、太陽エネルギーから化学エネルギーへの変換を達成するとともに、低電圧を高電圧に変換して、直流の電気の入力を交流の電気に変換して出力する。蓋体１とベース体本体２の折りたたみヒンジ１２の一端部に照明灯４を設け、且つベース体本体２の一端部に照明灯４に接続するスイッチ５を設け、ヒンジ１２は、ヒンジ蓋カバー１３によりを介して、ねじ１５でにより蓋体１及びベース体本体２に連結する。ベース体本体２の一端部には、交流電源充電用差込口６及び小型電器電気機器電源用差込口７をが設けられている。、交流電源充電用差込口６は、出力及び入力モードを自動的に変換するための装置であり、携帯電話機に接続するした場合には、携帯電話機へ電源を供給し、トランスに接続するした場合には、電気エネルギーを貯蔵できる。またスイッチインジケーターランプ８及び充電状態インジケーターランプ９、１０をが設けられている。太陽エネルギーウェハー変換用シリコンチップパネル３が日光を受光する時、インジケーターランプ９が点滅表示する。一方、インジケーターランプ１０は、充電時に点き、貯エネルギー貯蔵用電池が満たした後にフル充電されたら自動的に消える。ベース体本体２の背面には、交差差込式の引っ掛けフック１１をが設けられている。本考案は、化学エネルギーから電気エネルギーへの変換を達成し、高電圧を低電圧に変換する。
本考案の多機能太陽エネルギー携帯型充電器は、使用時には開かれた開いた状態になりなる、つまり、太陽エネルギーウェハー変換用シリコンチップパネル３を日光に向けて充電させるがなされる。且つ、ベース体本体２における引っ掛けフック１１を利用してベルトに引っ掛けて、又はリュックサック及びその他のバッグに引っ掛けることができ、室外にて随時に充電することができ、持つのも使うのもきわめて便利である。
（第二の実施形態）
図１に示す多機能太陽エネルギー携帯型充電器において、折畳式で連結するされる蓋体１及びベース体本体２を含み、蓋体１及びベース体本体２の内表面にはそれぞれ太陽エネルギーウェハー変換用シリコンチップパネル３をが設けられ、ベース体本体２内に貯はエネルギー貯蔵用電池１４をが設けられ、太陽エネルギーウェハー変換用シリコンチップパネル３がは貯エネルギー貯蔵用電池１４に接続している。貯エネルギー貯蔵用電池１４に接続しているベース底板２Ｂにはコンセント１６をが設けられ、当該充電器電源に電圧を出力させ、また携帯電話機に対して充電時に連結する。ベース体本体２の上面ケース２Ａとベース底板２Ｂは磁石１７により一体に固定されている。蓋体１とベース体本体２の折り畳みヒンジ１２は、ヒンジ蓋カバー１３によりを介し、ねじ１５でにより蓋体１及びベース体本体２に連結するされる。コンセント１６の横にそれぞれインジケータ９と１０を設け、充電器が作動状態にあるか否かを表示する。ベース体本体２の側面に交流電源充電用差込口６、機能選択ボタン１８、プラスチックスライドキー１９と２０を設け、スライドキー１９は交流電源充電用差込口を開ける又は閉めるためのものであり、スライドキー２０は選択ボタン１８の外側に置かれて、スライドストロークを拡大するためのものである。
本考案の多機能太陽エネルギー携帯型充電器は、使用時には開いた開かれた状態になりなる、つまり、太陽エネルギーウェハー変換用シリコンチップパネル３を日光に向けて充電させるがなされる。その掌上型のデザインによって、持つのも使うのもきわめて便利である。
【図面の簡単な説明】
【０００７】
【図１】本考案の第一の実施形態に係る太陽エネルギー携帯型充電器を開いた場合の構成を示す略図斜視図。
【図２】図１に示した太陽エネルギー携帯型充電器を折り畳んで閉める閉めた場合の構成を示す斜視図略図。
【図３】図２の閉める側面図略図。
【図４】図３の底面図。
【図５】図１乃至４に示す太陽エネルギー携帯型充電器の分解斜視図。
【図６】本考案の第二の実施形態に係る太陽エネルギー携帯型充電器の分解斜視図。
【図７】図６に示した太陽エネルギー携帯型充電器の底面図略図。
【図８】本考案に係る太陽エネルギー携帯型充電器の電気的構成を示すブロック回路図。
【符号の説明】
【０００８】
１…蓋体、２…本体、３…太陽エネルギー変換用シリコンチップパネル、エネルギー貯蔵用電池。
【図１】
0003112906.tif 000003
【図２】
0003112906.tif 000004
【図３】
0003112906.tif 000005
【図４】
0003112906.tif 000006
【図５】
0003112906.tif 000007
【図６】
0003112906.tif 000008
【図７】
0003112906.tif 000009
【図８】
0003112906.tif 000010
【手続補正書】
【提出日】平成17年4月27日(2005.4.27)
【手続補正１】
【補正対象書類名】明細書
【補正対象項目名】０００２
【補正方法】変更
【補正の内容】
【０００２】
科学技術の発展及び人々の物質・文化生活レベルの絶え間ない向上に伴って、様々な携帯電話、デジタルカメラ、携帯型コンピューター等のハイテク製品はが普及している。それらに組み合わせて使用する充電器は、充電時に交流電気電源に接続することのみに限られているため、使用者は電気エネルギーを使用するのに不便な場所に身をおいたおく場合、又は電圧の異なる地区にいる場合、例えば、旅行、地質科学調査、山登り考察等の場合に、携帯電話機、デジタル画像・音声電器電気機器、携帯型コンピューター等のハイテク製品は、電源が消耗し尽くし、又は不足になった場合には、有効に使えなくなる。それに、従来の充電器は独立の電源として使うことができないため、常用の小型電器電気機器（携帯型ゲーム機、デジタルカメラ、ＣＤプレーヤー、ウォークマン（登録商標）型オーディオプレーヤー、録音再現機言語復読機、及びＰＤＡ等）を室外で使用する場合、別に電源、例えば乾電池を配備準備する必要があるのであり、乾電池の使用によっては、環境の汚染をもたらすだけでなく、資源の無駄浪費をももたらす。従って、科学技術の進歩及び製品の絶え間ない更新に伴って、従来の充電器はますます当今の市場のニーズに適さなく適応し得なくなってきた。従来の太陽エネルギー充電器の考案は、化学エネルギーから電気エネルギーへの変換、及び高電圧から低電圧への変換ができないのに対して、本考案は、充電器の機能を有する以外に、独立して電源及び照明懐中電灯として使用することができる。また、室外において、太陽エネルギーによってエネルギーを蓄えて、充電池内で再び昇圧させ、水が低所へ流れる原理に基づき電池を他のものへ移すこともできる。